(57)【特許請求の範囲】
【請求項１】
木軸を把持する把持部材を螺棒の長手方向に進退可能に取付け、螺棒の一方の側に金具を介して連結された他の部材に、螺棒の他方の側に把持部材を介して取付けられた木軸を拘持する木軸拘持部材であって、
前記把持部材は、断面略コの字状で、そのコの字状を形成する両脚部の先端に内向きの鈎状部が突設され、鈎状部付きの両脚部は共に外側に開くように弾性変形可能であり、木軸をその長手方向に移動自在に把持し、
さらに前記把持部材及び前記金具は、前記螺棒にそれぞれ螺合され、螺棒の回動によって把持部材と金具との距離を調整可能にしたことを特徴とする木軸拘持部材。
【請求項２】
木軸を把持する把持部材を螺棒の長手方向に進退可能に取付け、螺棒の一方の側に金具を介して連結された他の部材に、螺棒の他方の側に把持部材を介して取付けられた木軸を拘持する木軸拘持部材であって、
前記把持部材は、断面略コの字状で、そのコの字状を形成する両脚部の先端に内向きの鈎状部が突設され、鈎状部付きの両脚部は共に外側に開くように弾性変形可能であり、前記木軸の両側面に形成された溝に、前記鈎状部を挿入して木軸をその長手方向に移動自在に把持し、
さらに前記把持部材及び前記金具は、前記螺棒にそれぞれ螺合され、螺棒の回動によって把持部材と金具との距離を調整可能にしたことを特徴とする木軸拘持部材。
【請求項３】
前記把持部材の両脚部は、薄鋼板又はプラスチックよりなることをことを特徴とする請求項１又は２に記載の木軸拘持部材。
【発明の詳細な説明】
【０００１】
【発明の属する技術分野】
本発明は、例えば住宅・事務所等の建物の木軸を他の部材に螺棒を介して拘持する木軸拘持部材に関する。
【０００２】
【従来の技術】
従来、住宅・事務所等の建物の木軸を他の部材に対して所定の位置関係に拘持する木軸拘持部材として、コスト面から、一般に木質部材、帯状プラスチック部材等が両者の間に組み込まれたものが多用されている。しかしながら、木軸と他の部材との距離は、施工時は、木質部材、プラスチック部材等の切断によって調整可能であるが、施工後は調整不可能であるという欠点がある。
それに対して、コストが若干上昇するが、螺棒が組込まれ建物の木軸を他の部材にその螺棒を介して拘持する木軸拘持部材が使用されている。すなわち、木軸と他の部材とが所定の間隔に平行に、又は交差して配置され、木軸に穿けられた孔に螺棒が通され、螺合されたナットが回動されるか，又は木軸に木ねじ・釘等で取付けられた板状の金具や木軸が挿通された角輪状の金具に螺合された螺棒が回動されるか，によって、両者の距離が調整されるよう構成されている。
【０００３】
しかしながら、上記従来の木軸拘持部材は、次の欠点がある。
（ア）螺棒・ナットよりなるものは、螺棒・ナットが木軸の外面に突出し、外観が損なわれたり、外面への板の張付けの支障になったりする。また、孔の位置によって拘持位置が制約されるため、施工後木軸を長手方向にずらす必要が生じても、ずらすことが出来ない。
（イ）木ねじ・釘等によって取付けられる金具を含むものは、取付け、取替えの操作が煩瑣である。また釘の場合は、釘打ちによって、木軸に割れが発生し、強度が低下することがある。
（ウ）角輪状の金具を含むものは、木軸を長手方向にずらすのは容易であるが、他の部材に既に螺棒が取付けられ、その螺棒に金具が取付けられている場合、狭隘な場所では、金具への長い木軸の挿通、引抜きが困難であるか又は不可能である。
【０００４】
【発明が解決しようとする課題】
そこで本発明の目的とするところは、上記従来の木軸拘持部材の種々の欠点を解消した、作業性に優れた木軸拘持部材を提供することにある。
【０００５】
【課題を解決するための手段】
上記の目的を達するために、請求項１の発明の木軸拘持部材は、木軸（５０）を把持する把持部材（２０）を螺棒（１０）の長手方向に進退可能に取付け、螺棒（１０）の一方の側に金具（７０）を介して連結された他の部材（６０）に、螺棒（１０）の他方の側に把持部材（２０）を介して取付けられた木軸（５０）を拘持する木軸拘持部材であって、把持部材（２０）は、断面略コの字状で、そのコの字状を形成する両脚部（２１，２１）の先端に内向きの鈎状部（２２，２２）が突設され、鈎状部（２２，２２）付きの両脚部（２１，２１）は共に外側に開くように弾性変形可能であり、木軸（５０）をその長手方向に移動自在に把持し、さらに前記把持部材（２０）及び前記金具（７０）は、前記螺棒（１０）にそれぞれ螺合され、螺棒（１０）の回動によって把持部材（２０）と金具（７０）との距離を調整可能にしたことを特徴とするものである。
【０００６】
請求項２の発明は、木軸（５０）を把持する把持部材（２０）を螺棒（１０）の長手方向に進退可能に取付け、螺棒（１０）の一方の側に金具（７０）を介して連結された他の部材（６０）に、螺棒（１０）の他方の側に把持部材（２０）を介して取付けられた木軸（５０）を拘持する木軸拘持部材であって、把持部材（２０）は、断面略コの字状で、そのコの字状を形成する両脚部（２１，２１）の先端に内向きの鈎状部（２２，２２）が突設され、鈎状部（２２，２２）付きの両脚部（２１，２１）は共に外側に開くように弾性変形可能であり、前記木軸（５０）の両側面に形成された溝（Ｇ，Ｇ）に、前記鈎状部（２２，２２）を挿入して木軸（５０）をその長手方向に移動自在に把持し、さらに前記把持部材（２０）及び前記金具（７０）は、前記螺棒（１０）にそれぞれ螺合され、螺棒（１０）の回動によって把持部材（２０）と金具（７０）との距離を調整可能にしたことを特徴とするものである。
【０００７】
請求項３の発明は、請求項１又は２に係る発明において、前記把持部材（２０）の両脚部（２１，２１）は、薄鋼板又はプラスチックよりなることを特徴とするものである。
【０００８】
なお、上記の括弧内の記号は図面及び後述する発明の実施の形態に記載された記号に対応するものである。
【０００９】
本発明によれば、把持部材の両脚部は弾性変形可能であってその先端に突設された内向きの鈎状部と共に外側に開き木軸を把持可能であるため、木軸の他の部材への拘持及びその解放が容易になる。従って、他の部材に螺棒が既に取付けられ、その螺棒に把持部材が取付けられ、しかも施工場所が狭隘な場合であっても、長い木軸の取付、取替えに何らの支障もない。
さらに、把持部材に把持された木軸は、長手方向に容易に移動させずらすことが可能であり、螺棒が既に他の部材に取付けられ、その螺棒に把持部材が取付けられても、木軸の把持位置を自由に変更可能であり、施工が著しく容易になる。そのうえ、把持部材は、２本の木軸の突合わせ、把持、接続も可能である。
【００１２】
【発明の実施の形態】
本発明の第１の実施の形態例について図面を参考にして説明する。図１は本発明の実施の形態例に係わる木軸拘持部材を示す断面図、図２は図１の要部を示す拡大斜視図、図３は図２の変形を示す斜視図である。
第１の実施の形態例に係わる木軸拘持部材は、木軸５０を把持する把持部材２０を螺棒１０の長手方向に進退可能に取付け、螺棒１０の一方の側に直接又は間接に連結された他の部材６０に、螺棒１０の他方の側に把持部材２０を介して取付けられた木軸５０を拘持するよう構成されたものであって、螺棒１０の一端には、木軸５０を把持する把持部材２０が螺合されるか、又は螺棒１０に対して回動自在に保持されるかしている。なお、他の部材６０は、木軸であってもよく、また型鋼その他の材料よりなるものであってもよい。
【００１３】
把持部材２０についてさらに詳細に説明すると、それは断面略コの字状に形成されており、そのコの字状を形成する両脚部２１，２１が弾性変形可能に薄鋼板又はプラスチックよりなる。また両脚部２１，２１の先端には内向きの鈎状部２２，２２が突設されている。そのため、両脚部２１，２１は、鈎状部２２，２２と共に外側に開き、木軸５０をその長手方向に移動自在に把持可能である。
【００１４】
図１では木軸５０の両側面には溝Ｇ，Ｇが形成されており、その溝Ｇ，Ｇに鈎状部２２，２２が挿入され、木軸５０が把持されるよう構成されているが、必ずしもこれに限定されるものではなく、木軸が把持部材２０に包囲されるよう構成されてもよい。
【００１５】
また図１，２に示すように、把持部材２０の底面の一方の側には面一にフランジ２３が突設されるか、図３に示すように、把持部材２５の底面の一辺に断面Ｌ字状のフランジ２８が結合されており、そのフランジ２３，２８には、螺棒１０が挿通され、螺合されるか、又は把持部材２０，２５が回動自在に保持される孔２４，２９が穿けられている。なお、２６，２７はそれぞれ把持部材２５の脚、鈎状部である。
【００１６】
また他の部材６０には、断面Ｌ字状の金具７０の一辺が木ねじＢによって取付けられ、その金具７０の他辺に螺棒１０の他端が螺合されており、螺棒１０の回動によって、把持部材２０と金具７０との距離、すなわち木軸５０と他の部材６０との距離が調整可能に構成されている。なお、金具７０の代わりに、他の部材６０に対しても把持部材２０，２５が用いられてもよい。
【００１７】
作用について説明すると、把持部材２０の両脚部２１，２１が弾性変形可能であって、その先端に突設された内向きの鈎状部２２，２２と共に外側に開くことによって、木軸５０が他の部材６０に拘持又はその解放が可能な状態になる。従って、他の部材６０に螺棒１０が既に取付けられ、その螺棒１０に把持部材２０が取付けられ、しかも施工場所が狭隘な場合であっても、長い木軸５０を平行移動して、把持部材２０に近付け、容易に取付、取替えすることが出来る。
【００１８】
さらに、把持部材２０に把持された木軸５０は、長手方向に容易に移動させずらすことが可能であり、螺棒１０が既に他の部材６０に取付けられ、その螺棒１０に把持部材２０が取付けられていても、木軸５０の把持位置を自由に変更可能であり、それによって施工が著しく容易になる。そのうえ、把持部材２０は、２本の木軸５０，５０を突合わせ、両者を把持し、接続することも可能である（図示省略）。
【００１９】
なお、螺棒１０の回動は、その一端面にスクリュードライバの溝が形成されておれば、電動ドライバー等が使用可能となり、木軸５０と他の部材６０との距離の調整が極めて容易になる。また、把持部材２５は、フランジ２８が高くなればなる程、それだけ木軸５０とその他の部材６０との距離の調整代が増大することを除けば、上記把持部材２０と作用は同様である。
【００２０】
第２の実施の形態例について説明すると、第１の実施の形態例の把持部材２０の代わりに、次のように構成される類似の把持部材３０を備えている。
すなわち、図４に示すように、弾性変形可能に薄鋼板又はプラスチックよりなり、断面略コの字状に形成され、その両脚部３１，３１の先端には内向きの鈎状部３２，３２が突設されていることは、第１の実施の形態例の構成と同等であるが、底面に断面コの字状の台部分３３が一体に結合されていて、その台部分３３の中央には、螺棒１０が挿通され、螺合されるか、又は把持部材３０が回動自在に保持される孔３４が穿けられている点で異なる。
【００２１】
作用について説明すると、基本的には、第１の実施の形態例のそれと同じであるが、螺棒１０が、台部分３３の中央の孔３４に挿通され、螺合されるか、又は把持部材３０に対して回動自在に保持されているため、荷重が均等に掛かり、把持部材３０、すなわち、木軸５０が傾く等の問題は起こらない。なお、台部分３３の形状としては、断面がコの字状の代わりに、いずれか一方の脚が省略され、開いたＬ字状のものでも、作用は同様である（図示省略）。
【００２２】
第３の実施の形態例について説明すると、第１の実施の形態例の把持部材２０の代わりに、次のように構成される保持部材４０を備えている。すなわち、例えば帯状の薄鋼板が折曲げられて形成されたものであって、図５に示すように、断面略Ｌ字状に折曲げられたうえ、さらにその一端が内側に折曲げられ底角（内角）が直角よりも小さい鋭角の略コの字状になっている。
【００２３】
しかも、その保持部分４１は弾性変形可能であるため、外側に開き、木軸５０をその長手方向に移動自在に保持可能である。なお、保持部材４０の他端の折曲げられた部分には、螺棒１０が螺合されるか、又は回動自在に保持されるかしている。
【００２４】
作用について説明すると、内角が鋭角の略コの字状の保持部分４１が、第１の実施の形態例の把持部材２０と略同等の作用効果を有するため、保持部分４１を外側に開くことによって、木軸５０を容易に把持させることが出来ると共に、それから解放させることも出来る。
そのため、前述と同様に、保持部材４０が、他の部材６０に螺棒１０を介して既に連結され、しかも施工場所が狭隘であっても、長い木軸５０を平行移動して、保持部材６０に近付け、容易に取付、取替えすることが出来る。さらに、保持部材４０に把持された木軸５０は、長手方向に容易に移動してずらすことが可能であるため、前述と同様に、保持部材４０が、他の部材６０に螺棒１０を介して既に連結されていても、木軸５０の把持位置を自由に変更可能であり、それによって施工が著しく容易になる。
【００２５】
第４の実施の形態例について図６及び７により説明する。すなわち、上述の実施の形態例に使用された把持部材２０，２５、３０、保持部材４０が省略され、螺棒１０の一端が、木軸５０に穿けられた孔Ｈに嵌込み可能であるが、その孔Ｈに一旦嵌込まれると、引抜き困難であるよう、螺棒１５の先端に、複数段の薄い円錐台状体が同軸に連設された係止部分１５が形成されている。
【００２６】
作用について説明すると、上述の把持部材等を必要とせず、簡単で安価であるにも拘わらず、螺棒２０の先端は、押込みによって、木軸５０に穿けられた孔Ｈに容易に嵌込み、係止可能である。そのうえ、他の部材６０に螺棒１０が連結され、しかも施工場所が狭隘であっても、長い木軸５０の取付、取替えに何らの支障もない。なお、孔Ｈの位置によって拘持位置が制約されるため、長手方向にずらす必要が生じても、ずらすことは出来ない。
【００２７】
【発明の効果】
以上のとおり本発明によれば、把持部材の両脚部は弾性変形可能であってその先端に突設された内向きの鈎状部と共に外側に開き木軸を把持可能であるため、木軸の他の部材への拘持及びその解放が容易になる。従って、他の部材に螺棒が既に取付けられ、その螺棒に把持部材が取付けられ、しかも施工場所が狭隘な場合であっても、長い木軸の取付、取替えに何らの支障もない。
さらに、把持部材に把持された木軸は、長手方向に容易に移動させずらすことが可能であり、螺棒が既に他の部材に取付けられ、その螺棒に把持部材が取付けられても、木軸の把持位置を自由に変更可能であり、施工が著しく容易になる。そのうえ、把持部材は、２本の木軸の突合わせ、把持、接続も可能である。
【図面の簡単な説明】
【図１】本発明の第１の実施の形態例を示す断面図である。
【図２】図１の要部を示す拡大斜視図である。
【図３】図２の変形を示す斜視図である。
【図４】本発明の第２の実施の形態例の要部を示す斜視図である。
【図５】本発明の第３の実施の形態例を示す斜視図である。
【図６】本発明の第４の実施の形態例の取付前の状態を示す斜視図である。
【図７】図６の取付後の状態の要部を示す断面図である。
【符号の説明】
１０      螺棒
１５      係止部分
２０      把持部材
２１      脚部
２２      鈎状部
２３      フランジ
２４      孔
２５      把持部材
２６      脚部
２７      鈎状部
２８      台部分
２９      孔
３０      把持部材
３１      脚部
３２      鈎状部
３３      フランジ
３４      孔
４０      保持部材
４１      保持部分
５０      木軸
６０      他の部材
７０      金具
Ｂ        木ねじ
Ｇ        溝
Ｈ        孔
【図１】
0003884159.tif 000002
【図２】
0003884159.tif 000003
【図３】
0003884159.tif 000004
【図４】
0003884159.tif 000005
【図５】
0003884159.tif 000006
【図６】
0003884159.tif 000007
【図７】
0003884159.tif 000008